(57)【要約】【課題】着用者の口や顔面の動きによって着用当初の位置からずれるのを抑制できるマスクを提供する。【解決手段】マスク本体１２と、着用者１００の両耳又は頭部に掛けることによってマスク本体１２を着用者１００の顔面の所定の位置に固定する２本のゴム紐１４と、マスク本体１２Ａにおける後面１２Ａから後方に起立していると共に、着用時に着用者１００の鼻梁を上方から覆うノーズグリップ部１６と、を有するマスクである。【選択図】図４
2014030654.tif 000002
【特許請求の範囲】
【請求項１】
マスク本体と、
着用者の両耳又は頭部に掛けることによって前記マスク本体を前記着用者の顔面の所定の位置に固定する紐と、
前記マスク本体における前記着用者の顔面に当接する側の面から前記着用者の顔面に向かう方向に起立すると共に、着用時に前記着用者の鼻梁を上方から覆うノーズグリップ部と、
を有するマスク。
【請求項２】
前記ノーズグリップ部の上部は、前記マスク本体の上縁部に取り付けられ、前記マスク本体に対して起倒可能とされている請求項１に記載のマスク。
【請求項３】
前記ノーズグリップ部は袋状とされ、内部に可撓性を有する芯材が配置されている請求項１又は２に記載のマスク。
【請求項４】
前記マスク本体の両側縁部に、前記着用者の顔面に当接する側の面から起倒可能とされた漏れ防止部材が形成されている請求項１〜３の何れか一項に記載のマスク。
【請求項５】
前記ノーズグリップ部における着用者の鼻梁に当接する側の面に、ウレタンフォーム、不織布シート、不織布にラミネート加工をしたもの、及びフィルムの何れかから形成された鼻当て部が設けられている請求項１〜４のいずれか一項に記載のマスク。
【請求項６】
マスク本体は、非着用時には折り畳まれ、着用時には所定形状に展開可能とされているとともに、
前記マスク本体には、展開時において前記マスク本体の展開形状を保持するための形状保持部材が設けられている
請求項２〜５のいずれか一項に記載のマスク。
【発明の詳細な説明】
【技術分野】
【０００１】
本発明は、マスクに関する。
【背景技術】
【０００２】
マスクは、ウィルス、細菌、花粉の吸い込みを抑制したり、保菌者が唾と共にウィルスや細菌を飛散させることを抑制したりする目的で使用される。
【０００３】
このようなマスクとしては、たとえば、左右方向を前後にして重なり合う実質的に２枚以上の不織布が熱溶融性の合成繊維あるいは天然繊維を含み、それらの前方側縁部と後方側縁部とにおいて接合された環状体のマスクにおいて、前記前方側縁部とその近傍とが着用者顔面の所要部位を被覆可能に形成され、且つ前記後方側縁部とその近傍とが着用者頭部に掛回可能に形成され、前記後方側縁部における接合部位の上下方向の所要範囲が、該範囲の上下に位置する前記後方側縁部の残余の部位よりも更に後方へ延出し、その延出部分で内面同士が向かい合う前記２枚以上の不織布に含まれる合成繊維が溶融、固化されている不織布マスクがある（特許文献１）。
【０００４】
しかしながら、咳き込んだり、会話したりするときの着用者の口および顔面と動きによって、マスクが着用当初の位置からずれ、マスクと着用者の顔面との間に隙間が生じると、空気がこの隙間から漏れる。そのため、ウィルス、細菌、花粉の吸い込みやウィルスや細菌の飛散を抑制する効果が十分発揮できなくなる。
【０００５】
着用者の口や顔面の動きによってマスクがずれて着用者の顔面とマスクとの間に隙間が生じるのを抑制するため、以下のような方法が検討された。
【０００６】
例えば、手術用の紐付きマスクにおいては、マスク本体の上縁部における着用者の鼻が当る部分に、アルミニウムや鉄の芯が埋包されたノーズグリップ部を設け、着用時において、このノーズグリップ部を着用者の鼻梁に沿って屈曲させて着用者の鼻梁に密着させるとともに、マスクの紐を強く結ぶことによって、マスクがずれて着用者の顔面とマスクとの間に隙間が生じるのを抑えている。
【０００７】
しかしながら、マスク本体の上縁部にノーズグリップ部を設けるとともに、着用時に紐を強く締めるだけでは、会話時にマスクがずれることがあるので、この点の改善が望まれている。また、紐を強く締めることによってマスク本体を着用者の顔面に固定すると、首や頭の動きに制限が生じ、手術作業や行い難くなるという問題もある。
【０００８】
また、ノーズグリップ部に粘着剤を塗布したり、粘着テープを配置したりして、顔面とマスクとの間にずれが生じるのを防止することも検討された。
【０００９】
しかしながら、マスクを顔面の皮膚に直接粘着剤で固定すると、肌荒れが生じたり、マスク脱着時に皮膚に強い刺激が走ったりするという問題がある。
【００１０】
更に、ノーズグリップ部の周辺部に漏れ防止部材を配置し、呼気の漏れや眼鏡の曇りを抑制するようにしたマスクも開発されている。しかし、このマスクにおいても、会話やくしゃみ等の際の口や顔面の動きにマスクが十分に追随できないため、マスクが所定の位置からずれ、その結果、呼気の漏れを十分に抑制できないという問題がある。
【００１１】
マスク本体の両側縁部に漏れ防止部材を設けたマスクも開発されたが、このようなマスクにおいても、口や顔面の動きに対するマスクの追随性が不十分であり、長時間マスクを着用していると、マスクが所定の位置からずれるという欠点がある。
【先行技術文献】
【特許文献】
【００１２】
【特許文献１】特許第３６６４５４３号公報
【発明の概要】
【発明が解決しようとする課題】
【００１３】
本発明は、上記問題を解決すべく成されたものであり、着用者の口や顔面の動きによって着用当初の位置からずれるのを抑制できるマスクの提供を目的とする。
【課題を解決するための手段】
【００１４】
請求項１に記載の発明は、マスクに関し、マスク本体と、着用者の両耳又は頭部に掛けることによって前記マスク本体を前記着用者の顔面の所定の位置に固定する紐と、前記マスク本体における前記着用者の顔面に当接する側の面から前記着用者の顔面に向かう方向に起立すると共に、着用時に前記着用者の鼻梁を上方から覆うノーズグリップ部と、を有することを特徴とする。
【００１５】
前記マスクにおいては、ノーズグリップ部は、マスク本体における着用者の顔面に当接する側の面から起立した構成とされている。そして、前記マスクの着用時において、ノーズグリップ部は、着用者の鼻梁を上方から覆う。したがって、着用者の口や顔面の動きがマスク本体を介してノーズグリップ部に伝達されることが防止されるから、着用者が、マスクを着用した状態で会話をしたり、くしゃみや咳をしたりした場合に、ノーズグリップ部が着用当初の位置からずれることが抑制される。
【００１６】
請求項２に記載の発明は、請求項１に記載のマスクにおいて、前記ノーズグリップ部の上部が前記マスクの上縁部に取り付けられ、前記マスク本体に対して起倒可能とされていることを特徴とする。
【００１７】
前記マスクにおいては、非着用時にはノーズグリップ部をマスク本体に対して倒れた状態とすることができるから、非着用時においてノーズグリップ部がマスク本体に向かって押圧されて変形、損傷することを抑制できる。
【００１８】
請求項３の発明は、請求項１又は２に記載のマスクにおいて、前記ノーズグリップ部が袋状とされ、内部に可撓性を有する芯材が配置されていることを特徴とする。
【００１９】
前記マスクにおいては、ノーズグリップ部が袋状となり、内部に可撓性の芯材が配置されているから、着用時にノーズグリップ部を鼻梁に沿って屈曲させることにより、ノーズグリップ部を鼻梁に密着させることができる。
【００２０】
請求項４の発明は、請求項１または２に記載のマスクにおいて、前記マスク本体の両側縁部に、前記着用者の顔面に当接する側の面から起倒可能とされた漏れ防止部材が形成されていることを特徴とする。
【００２１】
前記マスクにおいては、着用時に漏れ防止部材を起立状態とすることにより、着用者の顔面の耳側とマスク本体との間の隙間が漏れ防止部材によって塞がれるから、着用者の顔面の耳側からの空気の漏れを抑えることができる。
【００２２】
請求項５に記載の発明は、請求項１〜４のいずれか一項に記載のマスクにおいて、前記ノーズグリップ部における着用者の鼻梁に当接する側の面に、ウレタンフォーム、不織布シート、不織布にラミネート加工をしたもの、及びフィルムの何れかから形成された鼻当て部が設けられていることを特徴とする。
【００２３】
前記マスクにおいては、ノーズグリップ部における着用者の鼻梁に当接する側の面に鼻当て部が設けられていることにより、ノーズグリップ部と着用者の鼻梁との密着性が更に改善される。
【００２４】
請求項６に記載の発明は、請求項２〜５のいずれか一項に記載のマスクにおいて、マスク本体が、非着用時には折り畳まれ、着用時には所定形状に展開可能とされているとともに、前記マスク本体に、展開時において前記マスク本体の展開形状を保持するための形状保持部材が設けられていることを特徴とする。
【００２５】
前記マスクにおいては、マスク本体を展開したときに、マスク本体に設けられた形状保持部材によってマスク本体の展開形状が保持される。したがって、着用者がマスクを着用した状態で息を吸い込んだ場合のようにマスク内部が減圧された場合においても、外気の圧力によってマスク本体が押し潰されることがなく、着用者の口や顔面とマスク本体との間に空間が確保される。故に、マスク本体に形状保持部材を設けない場合と比較して会話や呼吸が楽なマスクが提供される。
【発明の効果】
【００２６】
以上、本発明によれば、着用者の口や顔面の動きによって着用当初の位置からずれるのを抑制できるマスクが提供される。
【図面の簡単な説明】
【００２７】
【図１】図１は、実施形態１のマスクについて、折り畳まれた状態を後方から見た状態を示す平面図である。
【図２】図２は、折り畳まれた状態における実施形態１のマスクについて、図１における平面Ｘ−Ｘに沿って切断した断面を示す断面図である。
【図３】図３は、実施形態１のマスクにおける、マスク本体を伸展させるとともに、ノーズグリップ部を起立させた状態を後方から見たところを示す平面図である。
【図４】図４は、実施形態１のマスクを着用者が着用した状態を斜め左前方から見たところを示す斜視図である。
【図５】図５は、実施形態１のマスクを着用者が着用した状態を斜め前上方から見たところを示す斜視図である。
【図６】図６は、実施形態１のマスクにおいてノーズグリップ部に鼻当て部を設けた例について、マスク本体を伸展させるとともに、ノーズグリップ部を起立させた状態を後方から見たところを示す平面図である。
【図７】図７は、実施形態２のマスクについて、折り畳まれた状態を後方から見た状態を示す平面図である。
【図８】図８は、実施形態２のマスクについて、折り畳まれた状態を前方から見た状態を示す平面図である。
【図９】図９は、折り畳まれた状態における実施形態２のマスクについて、図６における平面Ｘ−Ｘに沿って切断した断面を示す断面図である。
【図１０】図１０は、実施形態２のマスクを着用者が着用した状態を斜め左前方から見たところを示す斜視図である。
【発明を実施するための形態】
【００２８】
１．実施形態１
以下、本発明のマスクの一例について図面を用いて説明する。
＜構成＞
図１〜図５に示すように、実施形態１のマスク１０は、着用時に着用者１００の鼻と口とを覆うマスク本体１２と、マスク本体１２の両側縁の上端と下端とに設けられ、着用時にマスク本体１２を着用者１００の顔面の所定の位置に保持する一対のゴム紐１４と、マスク本体１２の後面１２Ａ、即ち着用時において着用者１００の顔面に当接する側の面から着用者１００の顔面（鼻梁）に向かって起立すると共に、着用時において着用者の鼻梁に沿って屈曲可能とされたノーズグリップ部１６と、マスク本体１２の両側縁部、言い換えれば一対の縦方向側縁からマスク本体１２の後面１２Ａに向かってノーズグリップ部１６に重なるように設けられ、且つ後面１２Ａに対して起倒可能とされた漏れ防止部材２０と、を備える。なお、マスク１０においては、漏れ防止部材２０は必ずしも必須ではなく、省略も可である。
【００２９】
図１に示すように、マスク本体１２は全体として横長の長方形状であって、不織布シートを所定枚数、例えば３〜７枚、特に５〜７枚重ねたものから構成されている。なお、マスク本体１２を構成する不織布シートの枚数、および種類は、マスク１０に求められる性能に応じて種々設定できる。
【００３０】
図２〜図５に示すように、マスク本体１２の中央部には、金属や合成樹脂等の弾性材料から形成されたプレートである弾性プレート２２が横方向、言い換えればマスク本体１２の長手方向に埋設されている。なお、弾性プレート２２に代えて、前記弾性材料から形成されたバーである弾性バーも使用できる。弾性プレート２２及び弾性バーは、何れも本発明の形状保持部材の例である。マスク本体１２の弾性プレート２２の両側の部分に溶着線１２Ｄが形成され、これによって弾性プレート２２はマスク本体１２における所定の位置に保持される。
【００３１】
図２に示すように、マスク本体１２には、後方側、即ち着用時において着用者１００の顔面に向かう側が山になり、前方側が谷になるように長手方向によって折り畳まれたプリーツ部が、マスク本体１２の中央部、即ち弾性プレート２２が埋設された部分よりも上方に１箇所、下方に２箇所、合計３箇所形成されている。３箇所のプリーツ部のうち、マスク本体１２の中央部よりも上方のプリーツ部１２Ｂは図２における下方に向かって、マスク本体１２の中央部よりも下方のプリーツ部１２Ｃは図２における上方に向かって折り畳まれている。着用時においては、図３に示すようにプリーツ部１２Ｂおよびプリーツ部１２Ｃが前方に向かって展開されることによって、図４に示すようにマスク本体１２はカップ状に展開される。
【００３２】
図２に示すように、マスク本体１２は上縁において後面１２Ａ側に向かって折り返されているとともに、上縁部に沿って溶着線１２Ｅが形成されている。これによって、ノーズグリップ部１６が形成されている。図１及び図２に示すように、ノーズグリップ部１６は、マスク本体１２を折り畳んだ状態において、後面１２Ａに向かって図１及び図２における下方に屈曲し、且つプリーツ部１２Ｂに一部が重なるように形成されている。なお、溶着線１２Ｅは、中央部が最も高くなる逆Ｖ字状に形成されていれば、マスク本体１２Ａを展開したときにノーズグリップ部１６がマスク本体１２Ａに対して起立しやすくなるから好ましい。
【００３３】
図１〜図５に示すように、ノーズグリップ部１６には、軟鋼やアルミニウム等の屈曲可能な材料から形成された幅３〜５ｍｍ程度のプレート状部材であるノーズフィットプレート１８が埋設されている。なお、ノーズフィットプレート１８の代わりに、前記屈曲可能な材料からなる線材であるノーズフィットワイヤを埋設してもよい。なお、ノーズフィットプレート１８やノーズフィットワイヤは、本発明における可撓性を有する芯材の一例である。
【００３４】
ノーズグリップ部１６には、ノーズフィットプレート１８の両側に沿って溶着線１６Ａが二重に形成されている。これによってノーズグリップ部１６は、ノーズフィットプレート１８を内包するとともに横方向に沿って延在する袋状に形成される。そしてノーズフィットプレート１８はノーズグリップ部１６内部における所定の位置に保持される。
【００３５】
なお、図６に示すように、ノーズグリップ部１６において着用時に着用者１００の鼻梁に当接する側の面に、鼻当て部１７を設けてもよい。鼻当て部１７は、ノーズグリップ部１６と着用者１００の鼻梁との間の密着性を改善するためのものであって、ウレタンフォーム、不織布シート、不織布にラミネート加工をしたものなどから形成できる。また、鼻当て部１７にフィルムのように空気を実質的に透過させない素材を配することにより、ノーズグリップ部１６からの空気の漏れを更に効果的に抑制できる。
【００３６】
マスク本体１２の下縁も後面１２Ａ側に向かって折り返されて溶着部１２Ｆに沿って溶着されている。
【００３７】
図１、図３、及び図４に示すように、マスク本体１２の両側縁には、後面１２Ａから前方側の面に亘って補強帯１２Ｇが設けられている。漏れ防止部材２０の縁部部の一方も、マスク本体１２とともに補強体１２Ｇに包み込まれている。補強帯１２Ｇには、マスク本体１２の中央部に向かって湾曲する円弧状の溶着線１２Ｈが形成され、これによって漏れ防止部材２０がマスク本体１２に一体的に固定される。なお、ゴム紐１４は、一端が補強帯１２Ｇの上端部に、他端が補強体１２Ｇの下端部に溶着部１２Ｉによって溶着されている。また、漏れ防止部材２０の上縁と下縁とは、夫々溶着線１２Ｅおよび溶着線１２Ｆによってマスク本体１２に固定されている。これにより、漏れ防止部材２０は内側の側縁においてマスク本体１２の中央部に向かって開いた袋状に仕立てられている。なお、実施形態１のマスクにおいては、ゴム紐１４に替えて平紐を用いてもよい。ゴム紐１４に替えて平紐を用いる場合は、マスク本体１２の夫々の側縁に平紐をマスクの上下に延長する形で１本ずつ固定すればよい。平紐は、中央部においてマスク本体１２の側縁部に固定される。
【００３８】
なお、漏れ防止部材２０にも、フィルムのように実質的に空気を透過させない素材、またはウレタンフォーム、不織布シート、不織布にラミネート加工をしたものなどを配置することにより、漏れ防止部材２０からの空気の漏れを実質的に防止したり、漏れ防止部材２０と着用者１００の顔面との密着性を改善したりすることができる。
【００３９】
＜作用＞
図２に示すように、マスク本体１２を折り畳んだ状態において、ノーズグリップ部１６は、マスク本体１２における後面１２Ａにおいて、マスク本体１２の上縁よりも下方であってプリーツ部１２Ｂの上方に位置するとともに、横方向に延在する袋状に形成されている。したがって、図３に示すように、プリーツ部１２Ｂおよびプリーツ部１２Ｃを前方に向かって展開すると、ノーズグリップ部１６は、マスク本体１２から後方に向かって起立した状態となる。そして、漏れ防止部材２０は前述のようにノーズグリップ部１６に重なるように形成されているから、ノーズグリップ部１６が起立すると、漏れ防止部材２０もマスク本体１２から後方に向かって起立する。
【００４０】
着用者１００がマスク１０を着用するときは、図３に示すようにマスク本体１２を展開させ、次いで、図４及び図５に示すように、２本のゴム紐１４を夫々の耳の後方または後頭部に掛けまわすと共に、ノーズグリップ部１６の位置を鼻梁に合わせる。ノーズグリップ部１６の位置を鼻梁に合わせたら、ノーズグリップ部１６を鼻梁に沿って屈曲させ、ノーズグリップ部１６と鼻梁とを密着させる。なお、マスク１０において、ゴム紐１４の代わりに平紐を有する場合には、一の平紐の上端部と他の平紐の上端部とを後頭部のところで結び合わせ、一の平紐の下端部と他の平紐の下端部とを首の後で結び合わせればよい。
【００４１】
図４及び図５に示すように、マスク１０を着用した状態においては、ノーズグリップ部１６は、マスク本体１２に対して後方側、言い換えれば着用者１００の顔面側に起立した位置をとる。したがって、着用者１００の口や顔面の動きが、マスク本体１２を介してノーズグリップ部１６に直接伝達されることが抑制されるから、着用者１００がマスク１０を着用した状態で会話をしたり、くしゃみや咳をしたりした場合に、ノーズグリップ部１６が当初の位置から移動することが抑制される。これにより、会話や咳き込み、くしゃみによるマスク１０の位置ずれ、およびマスク１０の位置ずれに伴う呼気の漏洩やウィルスや細菌などを含む空気の吸引などが抑制される。
【００４２】
また、マスク本体１２の中央部は横方向に延在する弾性プレート２２が埋設されているから、図４及び図５に示すように、マスク１０を着用した状態において弾性プレート２２によってマスク本体１２のフットボール状の展開形状が保持されるとともに、着用者１００が息を吸い込んだときに、マスク本体１２内部が減圧されて凹陥することが抑制される。したがって、着用者１００が息を吸い込んだときも息を吐き出したときも、マスク本体１２と着用者１００の顔面との間に空間が形成された状態が保持されるから、弾性プレート２２を有しないマスクと比較して会話や呼吸が楽である。
【００４３】
更に、ノーズグリップ部１６に鼻当て部１７を設けることにより、ノーズグリップ部１６と着用者１００の鼻梁との密着度を更に改善できる。
【００４４】
加えて、マスク本体１２の両側縁部から後面１２Ａに向かって漏れ防止部材２０が設けられているから、マスク本体１２の側縁部と着用者１００の顔面の耳側の部分との隙間を通した呼気の漏れや空気の吸引などが抑制される。
【００４５】
更に加えて、ノーズグリップ部１６は、非着用時においてマスク本体１２の後面１２Ａに折り畳まれた構成とされているから、非着用時にノーズグリップ部１６が押圧されて変形したり破損したりすることが抑制される。
【００４６】
２．実施形態２
以下、本発明のマスクの別の一例について説明する。図７以下の図面において、図１〜図６と同一の符号は、特に断らない限り、前記符号が図１〜６において示すのと同一の構成要素を示す。
【００４７】
＜構成＞
図７〜図９に示すように、実施形態２のマスク１０においては、マスク本体１２は全体として横長の長方形状であって、不織布シートを所定枚数、例えば３〜７枚、特に５〜７枚重ねたものから構成されているとともに、図８および図９に示すように、前方が山になるように折り返されてプリーツ部１２Ｊが形成されている。プリーツ部１２Ｊは、両端部から中央部に向かって溶着線１２Ｋに沿って略Ｕ字状に溶着されているとともに、溶着線１２Ｋに沿ってその外側が切り取られ、水鳥の嘴状の嘴状部２４が形成される。したがって、マスク３０は、所謂バード型マスクとも称される。
【００４８】
マスク３０において、マスク本体１２は、上述した点を除いては実施形態１のマスク１０と同様の構成を有している。また、ノーズグリップ部１６の構成についても実施形態１のところで述べたとおりである。更に、ゴム紐１４に替えて平紐を使用できることも実施形態１のマスク１０と同様である。
【００４９】
＜作用＞
図１０に示すように、着用者１００がマスク３０を着用するときは、嘴状部２４を後面１２Ａ側から上下に広げる。これによって嘴状部２４が水鳥の嘴状に前方に向かって吐出すると共に、ノーズグリップ部１６がマスク本体１２から後方に向かって起立した状態となる。同時に、漏れ防止部材２０もマスク本体１２から後方に向かって起立する。
【００５０】
次いで、２本のゴム紐１４を夫々の耳の後方または後頭部に掛けまわしてマスク３０を着用すると共に、ノーズグリップ部１６の位置を鼻梁に合わせる。ノーズグリップ部１６の位置を鼻梁に合わせたら、ノーズグリップ部１６を鼻梁に沿って屈曲させ、ノーズグリップ部１６と鼻梁とを密着させる。また、図１０に示すように、着用者の鼻と口とが嘴状部２４によってほぼ完全に覆われる。
【００５１】
マスク３０は、実施形態１のマスク１０の有する特長に加えて以下の特長を有する。
即ち、嘴状部２４を上下に展開した状態においては、嘴状部２４の水鳥の嘴状に突出した形状が溶着線１２Ｋによって保持される故に、マスク３０を着用した状態では嘴状部２４と着用者の顔面との間に空間が形成される。したがって、実施形態１のマスク１０と同様に会話や呼吸が楽である。また、実施形態１のマスク１０のように展開形状を保持するための弾性プレート２２のような形状保持部材が不要となる。
【実施例】
【００５２】
１、実施例１、実施例２、比較例１、比較例２
実施形態１のマスクにおいてゴム紐を平紐に替えたもの（実施例１）、実施形態１のマスク（実施例２）、従来の平紐付きサージカルマスク（比較例１）、従来のゴム紐付きマスク（比較例２）を着用した場合について、静かな会話、口の動きの多い会話、およびくしゃみ（咳き込み）をしたときのマスクのずれについて評価した。ここで、「静かな会話」は、日常会話程度の口の動かし方で面と向かってする会話であり、「口の動きの多い会話」は、意図的に口を大きく動かす大きな声での会話である。
なお、比較例１の紐付きサージカルマスクは、ノーズグリップ部がマスク本体の上縁部に設けられたものであり、比較例２のゴム付きマスクは比較例１のサージカルマスクの紐の部分をゴム紐としたマスクである。結果を以下の表１に示す。
【００５３】
【表１】
2014030654.tif 000003
【００５４】
表１において、マスクが「ずれない」は、着用者の鼻梁とノーズグリップ部との間に隙間ができなかったことを意味し、マスクが「ずれにくい」は、着用者の鼻梁とノーズグリップ部との間に隙間が生じたが会話やくしゃみを止めると元に戻ったことを意味し、マスクが「ずれる」とは、着用者の鼻梁とノーズグリップ部との間に隙間が生じ、元に戻らなかったことを意味する。表１に示すように、実施形態１のマスク、および実施形態１のマスクにおいて紐をゴムに替えたものを用いた実施例１および２では、静かな会話および口の動きの多い会話の何れの場合においても、マスクのずれは認められなかった。また、くしゃみ（咳き込み）をした場合においても、マスクの大きなずれは認められなかった。
【００５５】
これに対し、ノーズグリップ部がマスク本体の上縁部に設けられた形態の紐付きサージカルマスクを用いた比較例１では、静かな会話においてはマスクの大きなずれは認められなかったものの、口の動きの多い会話及びくしゃみ（咳き込み）の何れの場合においてもマスクのずれが明瞭に認められた。
【００５６】
また、比較例２においては、静かな会話、口の動きの多い会話、及びくしゃみ（咳き込み）の何れの場合においてもマスクのずれが明瞭に認められた。
【００５７】
これらの結果から、着用時にノーズグリップ部がマスク本体１２の後面１２Ａから後方に起立する構成とすることにより、会話やくしゃみ、咳き込み時のマスクのずれを効果的に抑制することができることが判る。
【符号の説明】
【００５８】
１０      マスク
１２      マスク本体
１２Ａ    後面
１２Ｂ    プリーツ部
１２Ｃ    プリーツ部
１４      紐
１６      ノーズグリップ部
１７      鼻当て部
１８      ノーズフィットプレート
２０      漏れ防止部材
２２      弾性プレート
２４      嘴状部
３０      マスク
１００      着用者
【図１】
2014030654.tif 000004
【図２】
2014030654.tif 000005
【図３】
2014030654.tif 000006
【図４】
2014030654.tif 000007
【図５】
2014030654.tif 000008
【図６】
2014030654.tif 000009
【図７】
2014030654.tif 000010
【図８】
2014030654.tif 000011
【図９】
2014030654.tif 000012
【図１０】
2014030654.tif 000013